(57)【要約】【課題】ユーザの健康状態と関連するコンテンツを効果的に提供する。【解決手段】ユーザの健康状態を示す生体情報の測定値に関連するキーワードを、コンテンツのテキストデータから検出するキーワード検出部（１３）と、検出されたキーワードと関連する生体情報の測定値からユーザの健康状態を判定する生体情報評価部（１６）と、該判定結果に応じて、コンテンツを表示する場合のキーワードの表示態様を変更する表示制御部（１４）とを備える。【選択図】図１
2016184332.tif 000002
【特許請求の範囲】
【請求項１】
コンテンツを表示部に表示する情報処理装置であって、
ユーザの健康状態を示す状態情報を取得する取得部と、
上記コンテンツのテキストデータに含まれる、上記状態情報に関連付けられた関連文字列を検出する検出部と、
上記検出部が検出した上記関連文字列の表示態様を、上記状態情報に応じて変更する表示制御部と、を備えることを特徴とする情報処理装置。
【請求項２】
上記表示制御部は、上記検出部が検出した上記関連文字列の表示位置に隣接する位置に、上記状態情報を示す文字列または画像を表示させることを特徴とする請求項１に記載の情報処理装置。
【請求項３】
上記状態情報が示す上記ユーザの健康状態が正常か否かを判定する判定部をさらに備え、
上記表示制御部は、上記判定部が上記ユーザの健康状態は正常でないと判定した場合と、上記判定部が上記ユーザの健康状態は正常であると判定した場合とで、上記検出部が検出した上記関連文字列の表示態様を異ならせることを特徴とする請求項１または２に記載の情報処理装置。
【請求項４】
過去における上記ユーザの健康状態を示す過去状態情報を管理する管理部と、
上記状態情報および上記過去状態情報を比較して、上記ユーザの健康状態が現在改善傾向か悪化傾向かを判定する判定部をさらに備え、
上記表示制御部は、上記判定部が上記ユーザの健康状態は改善傾向であると判定した場合と、上記判定部が上記ユーザの健康状態は悪化傾向であると判定した場合とで、上記検出部が検出した上記関連文字列の表示態様を異ならせることを特徴とする請求項１または２に記載の情報処理装置。
【請求項５】
上記検出部が、上記コンテンツにおける一定区間において上記関連文字列を複数検出した場合、上記表示制御部は、当該一定区間において検出された上記関連文字列のうち、一部の関連文字列の表示態様のみを変更することを特徴とする請求項１から４のいずれか１項に記載の情報処理装置。
【請求項６】
上記表示部における特定の位置を指定する操作を受け付ける操作部を更に備え、
上記操作が、上記表示制御部によって表示態様が変更された上記関連文字列を指定している場合、上記表示部に、当該関連文字列に関連付けられた上記状態情報に関連するコンテンツを表示させることを特徴とする請求項１から５のいずれか１項に記載の情報処理装置。
【請求項７】
コンテンツを表示部に表示する情報処理装置の制御方法であって、
ユーザの健康状態を示す状態情報を取得する取得ステップと、
上記コンテンツのテキストデータに含まれる、上記状態情報に関連付けられた関連文字列を検出する検出ステップと、
上記検出ステップにおいて検出した上記関連文字列の表示態様を、上記状態情報に応じて変更する表示制御ステップと、を含むことを特徴とする情報処理装置の制御方法。
【請求項８】
請求項１に記載の情報処理装置としてコンピュータを機能させるための制御プログラムであって、上記取得部、上記検出部、および上記表示制御部としてコンピュータを機能させるための制御プログラム。
【請求項９】
請求項８に記載の制御プログラムを記録したコンピュータ読み取り可能な記録媒体。
【発明の詳細な説明】
【技術分野】
【０００１】
本発明は、ユーザの関心が高い情報を画面上に表示する技術に関する。
【背景技術】
【０００２】
近年は、生活習慣病の予防および対策として、日常的な健康管理が重要であることが広く認識されている。そして、身長、体温、体重、体脂肪（内臓脂肪を含む）、骨密度、血圧、または運動量（歩数、消費カロリー換算値など）などの生体情報を日常的に測定し記録することにより、各人が自分の健康管理を自分自身で行うことが注目されている。
【０００３】
一方、多種多様な情報の中から、ユーザの選択行為（キュレーション）や、ユーザの過去の検索履歴に基づいて、ユーザの関心が高い分野の情報を選択的に取得したり、ユーザの関心が高いキーワードと関連する情報を紹介したりする技術が従来技術として知られている。とりわけ、健康管理や健康維持などに関連する情報への関心は高く、ユーザによって検索されたり閲覧されたりし得る情報は膨大な数であり、また、各情報の内容も充実している。高い専門性を有する難解な内容を含むコンテンツも配信されるようになった。
【０００４】
ユーザが、健康維持のために役立つ健康関連情報を容易に取得するための技術としては、特許文献１に記載の技術などが知られている。特許文献１には、複数の専門分野の健康関連情報を横断的にその効果と共にユーザに提供する健康関連情報提供システムが開示されている。特許文献１に記載の健康関連情報提供システムは、通信ネットワーク上に存在する膨大な数の健康関連情報に関する臨床学術研究論文から複数の研究分野（医学・食品学・栄養学・環境学・総合医療学・漢方学・スポーツ医学等）の健康関連情報をユーザに対し横断的に提供する。また、収集された臨床学術研究を分析し、分析結果として、ユーザの種々の健康維持の目的に応じた健康関連情報を提供する。
【０００５】
また、ユーザが取得し得る、自分の健康状態に関連する健康関連情報としては、健康管理や健康維持のために受けた健康診断（健診）の結果などがある。ユーザが健診結果について受けた面談の内容を理解できるように促す技術としては、特許文献２に記載の技術などが知られている。特許文献２には、健診結果についての面談時に表示される画像のデータを記憶する画像記憶部と、前記画像のデータに基づいて前記面談の要約のデータを生成する要約生成部と、前記生成された要約を出力する出力部とを具備する健康管理支援装置が開示されている。
【先行技術文献】
【特許文献】
【０００６】
【特許文献１】特開２００８−１８１１８８号公報（２００８年  ８月  ７日公開）
【特許文献２】特開２００９−２８８８８０号公報（２００９年１２月１０日公開）
【発明の概要】
【発明が解決しようとする課題】
【０００７】
しかしながら、上述のような従来技術は、ユーザの健康状態と関連する情報を効果的に提供できないという問題がある。健康管理や健康維持には、身長、体温、体重、体脂肪（内臓脂肪を含む）、骨密度、血圧、または運動量などの、さまざまな生体情報の測定が重要であり、ユーザはこれらの生体情報を測定した結果に基づいて、自分の健康状態を把握していることが多い。健康関連情報は、大抵、複数の生体情報に関する記載を含んでおり、ユーザは、自分の健康状態に関連する内容が記載された箇所を、該健康関連情報から探し出す必要がある。
【０００８】
特許文献１に記載の技術では、通信ネットワーク上に存在する膨大な数の健康関連情報に関する臨床学術研究論文から複数の研究分野の健康関連情報をユーザに対し横断的に提供するものの、ユーザの健康状態を反映した情報や、ユーザの関心の高い情報を選択的に提供するものではない。さらに、ユーザは、提供される情報とユーザの健康状態との関連性が示されていないため、提供される情報の中のどの部分が自分の健康状態に関連しているのかが分からない。それゆえ、ユーザは、提供された情報のコンテンツ全体に目を通して、どこに自分の健康状態と関連する事項が記載されているのかを探索しなければならない、という問題があった。
【０００９】
また、特許文献２に記載の技術では、健診結果についての面談の内容をユーザが理解することを支援するための要約を出力するものの、ユーザが取得する情報は所定の形式の情報に限定される。それゆえ、通信ネットワーク上に次々と登場するさまざまな形式の、新しい健康関連情報の全てに適用することができないため、すべての健康関連情報を利用することができない、という問題があった。
【００１０】
本発明は、上記問題に鑑みてなされたものであり、その目的は、ユーザの健康状態と関連する情報のコンテンツを効果的に提供することができる情報処理装置などを実現することにある。
【課題を解決するための手段】
【００１１】
上記の課題を解決するために、本発明の一態様に係る情報処理装置は、コンテンツを表示部に表示する情報処理装置であって、ユーザの健康状態を示す状態情報を取得する取得部と、上記コンテンツのテキストデータに含まれる、上記状態情報に関連付けられた関連文字列を検出する検出部と、上記検出部が検出した上記関連文字列の表示態様を、上記状態情報に応じて変更する表示制御部と、を備える。
【００１２】
上記の課題を解決するために、本発明の一態様に係る情報処理装置の制御方法は、コンテンツを表示部に表示する情報処理装置の制御方法であって、ユーザの健康状態を示す状態情報を取得する取得ステップと、上記コンテンツのテキストデータに含まれる、上記状態情報に関連付けられた関連文字列を検出する検出ステップと、上記検出ステップにおいて検出した上記関連文字列の表示態様を、上記状態情報に応じて変更する表示制御ステップと、を含む。
【発明の効果】
【００１３】
本発明の一態様によれば、ユーザの健康状態と関連する情報のコンテンツを効果的に提供することができるという効果を奏する。
【図面の簡単な説明】
【００１４】
【図１】本発明の一態様に係る携帯端末の概略構成の一例を示すブロック図である。
【図２】（ａ）は携帯端末の外観の一例を示す概略図であり、（ｂ）は生体計測ブースの外観の一例を示す概略図であり、（ｃ）は表示装置の外観の一例を示す概略図である。
【図３】キーワードと生体情報との対応関係を規定する生体情報−キーワード対応テーブルのデータ構造の一例を示す図である。
【図４】「血圧」というキーワードの表示態様を、生体情報の測定値に応じて変更する例について説明する説明図である。
【図５】（ａ）〜（ｄ）は携帯端末の画面遷移の一例を示す説明図であり、（ｅ）は（ｂ）とは別の表示例を適用した場合の画面表示例を示す図である。
【図６】（ａ）〜（ｄ）は携帯端末の、他の画面遷移の一例を示す説明図である。
【図７】コンテンツに含まれるキーワードの表示態様を、ユーザの健康状態に応じて変更する処理の流れを示すフローチャートである。
【図８】血圧の測定値が改善傾向か、悪化傾向かに応じて表示態様を変更する例について説明する説明図である。
【発明を実施するための形態】
【００１５】
〔実施形態１〕
以下、本発明の実施の形態について、詳細に説明する。なお、ここでは、本発明に係る情報処理装置を適用した携帯端末１（情報処理装置）を例に挙げて説明するが、これに限定されない。本発明の一態様において、情報処理装置は、携帯電話、スマートフォン、タブレット端末などの通信機能を備える携帯端末１に適用してもよいし、後述の生体計測ブース１００および表示装置６に適用してもよい。
【００１６】
本発明の一実施形態において、携帯端末１は通信機能を備え、計測機器４が測定したユーザの生体情報を、後述の生体計測ブース１００から受信したり、通信ネットワーク７を介して情報源３０ａや情報源３０ｂから関連情報（コンテンツ）を受信して表示したりすることが可能である。
【００１７】
（携帯端末１の外観）
まず、携帯端末１の外観について、図２の（ａ）を用いて説明する。図２の（ａ）は、携帯端末１の外観の一例を示す概略図である。なお、本発明の特徴的な構成に直接関係しない部材や機能については、その図示や説明を省略する。
【００１８】
携帯端末１は、表示部１７を備えている。表示部１７は、画像やテキストデータが示す文字列などを表示するＬＣＤ（液晶ディスプレイ：Liquid Crystal Display）、ＰＤＰ（プラズマディスプレイ:Plasma Display Panel）、または有機ＥＬ（Organic LED）などの、薄型フラットパネルディスプレイ（Flat Panel Display）であってもよい。表示部１７には、タッチパネル（図示せず）が重畳されており、ユーザによるタッチ操作が行なわれた位置やジェスチャの種類などを検出することができる。
【００１９】
携帯端末１は、画面表示された画像やテキストデータが示す文字列などの所定の位置に対する、ユーザによるタッチ操作を受け付けた場合に、画面表示を切り替えたり、所定の機能を起動させたりすることができる。
【００２０】
（生体計測ブース１００の外観および概略構成）
次に、ユーザの生体情報の測定と管理とを総合的に支援する、椅子型の生体計測ブース１００に適用した場合を例に挙げて、図２の（ｂ）および（ｃ）を用いて以下に説明する。図２の（ｂ）は生体計測ブース１００の外観の一例を示す概略図であり、図２の（ｃ）は表示装置６の外観の一例を示す概略図である。なお、生体計測ブース１００としては、ユーザの姿勢に限定されない。例えば、生体計測ブース１００において、設置するために広い空間を要求しない個室のような空間においてユーザが立ったままの姿勢である電話ボックス型であってもよいし、ベッドまたはマットレスの上にユーザが寝た姿勢であるベッド型であってもよい。
【００２１】
生体計測ブース１００は、少なくとも、座面２、アームレスト３、計測機器４、脚部８、計測した生体情報を表示する表示装置６、および撮像部６１を備えている外観を有している。脚部８は、床面９と座面２との間に設けられ、座面２を支持する部材である。
【００２２】
計測機器４は体温、脈波、血圧などの様々なユーザの生体情報を測定する機器であり、各種の計測機器４をアームレスト３に取り付けたり、取り外したりすることが可能である。ユーザは、生体計測ブース１００の座面２に座って楽な姿勢をとり、各種の計測機器４を用いて、体重、体温、脈波、血圧などを測定することができる。また、ユーザが生体計測ブース１００に体を完全に載せて体重を預けた姿勢をとれば、脚部８に組み込まれた体重測定装置（図示せず）がユーザの体重を測定する。
【００２３】
表示装置６は、測定されたユーザの生体情報を表示するディスプレイである。表示装置６の画面にはタッチパネル（図示せず）が重畳されており、ユーザによるタッチ操作を受け付ける。また、表示装置６は、計測機器４が測定した各種生体情報、および体重測定装置が測定した体重を受信して、受信した情報を画面に表示してもよい。
【００２４】
表示装置６の上部には図示のように撮像部６１が配置されている。この撮像部６１は、座面２の上に座したユーザを撮像して、顔色や表情を判定してもよい。また、生体計測ブース１００の通信機能を利用して、ユーザと、遠隔地の家族や医療関係者（例えば、主治医）とが映像と音声とを互いに送受信することにより、会話したり問診を受けたりすることが可能なように構成してもよい。このような構成の場合、表示装置６には、会話の相手である遠隔地の家族や医療関係者の映像を表示してもよい。
【００２５】
なお、生体計測ブース１００の表示装置６を携帯端末１の外部の表示装置として用い、携帯端末１の表示部１７で表示する内容と同じ表示を、表示装置６においても行うことが可能な構成であってもよい。
【００２６】
（携帯端末１の構成）
続いて、携帯端末１の構成について、図１を用いて説明する。図１は、携帯端末１の概略構成の一例を示すブロック図である。なお、図２を用いて説明した部材については、同じ番号を付してその説明を省略する。
【００２７】
携帯端末１は、通信ネットワーク７を介して、さまざまな情報源３０ａ、３０ｂからの関連情報を取得し、一方、無線／有線の通信機能を用いて、生体計測ブース１００から、ユーザの生体情報の測定値を受信する。制御部１０、記憶部２０、および表示部１７を備えており、制御部１０は、関連情報取得部１１、コンテンツ解析部１２、キーワード検出部１３（検出部）、表示制御部１４、生体情報管理部１５（取得部、管理部）、および生体情報評価部１６（判定部）を備えている。なお、携帯端末１が備える音声入力部（例えば、マイクロフォン）、音声出力部（例えば、スピーカ）、および各種センサなどは、本発明と直接関係ないため、図示と説明とを省略する。ここでは、携帯端末１が情報源３０ａ、３０ｂから関連情報を取得する場合を例に挙げて説明するがこれに限定されない。例えば、携帯端末１が通信を介さずに、関連情報を取得してもよい。
【００２８】
記憶部２０は、生体情報−キーワード対応テーブル２１および生体情報評価基準２２を含んでいる。生体情報−キーワード対応テーブル２１は、ユーザの生体情報の測定値（状態情報）に関連するキーワード（関連文字列）、すなわち、生体情報に強い相関を有する文字列を、ユーザの生体情報の測定値と関連付けて格納しているテーブルである。生体情報評価基準２２は、生体情報の測定値が正常値として評価される範囲（正常範囲）にあるのか否かを判定するときに基準として利用される基準値に関する情報である。生体情報評価基準２２は、予め記憶部２０に格納されていてもよいし、関連情報取得部１１が、情報源３０ａ、３０ｂから適宜取得して、追加・更新するようにしてもよい。なお、生体情報−キーワード対応テーブル２１および生体情報評価基準２２については、後に具体例を挙げて説明する。
【００２９】
生体情報管理部１５は、現在までのユーザの生体情報の測定値を管理しており、生体計測ブース１００から、ユーザの生体情報を受信して、記憶部２０の生体情報−キーワード対応テーブル２１に格納する。なお、ユーザの生体情報の測定値を生体計測ブース１００からではなく、計測機器４から受信してもよいし、あるいはその他の方法で取得する構成であってもよい。
【００３０】
関連情報取得部１１は、インターネットなどの通信ネットワーク７を介して、情報源３０ａ、３０ｂから健康関連情報などの関連情報を取得して、取得した情報のコンテンツデータをコンテンツ解析部１２に送る。
【００３１】
コンテンツ解析部１２は、コンテンツデータを解析する。具体的には、コンテンツデータに含まれる本文や見出しのテキストデータ、段落構造、リンク情報などを特定し、コンテンツデータと解析結果とをキーワード検出部１３に送る。
【００３２】
キーワード検出部１３は、受信したコンテンツデータに含まれる、生体情報−キーワード対応テーブル２１に規定されているキーワードを検出し、検出したキーワードに関連付けられた生体情報の測定値を生体情報評価部１６に問い合わせる。また、キーワード検出部１３は、生体情報評価部１６に問い合わせたキーワードを示す情報と、コンテンツデータとを表示制御部１４に送る。
【００３３】
生体情報評価部１６は、キーワード検出部１３の問い合わせに応じて、キーワード検出部１３が検出したキーワードに対応する生体情報の測定値を生体情報−キーワード対応テーブル２１から読み出して、該読み出した測定値が、生体情報評価基準２２の、正常範囲を規定する基準となる範囲と比較して、正常範囲内か、正常範囲から所定の範囲以上外れているのかを判定する。すなわち、生体情報評価部１６は、キーワード検出部１３が検出したキーワードに対応する生体情報の測定値が、正常な範囲なのか、生活改善や経過観察などが必要な警戒範囲なのか、あるいは加療の必要性もあるような異常範囲なのか、といったユーザの健康状態についての評価（判定）を行い、該評価結果（判定結果）を表示制御部１４に出力する。なお、生体情報の測定値は生体情報−キーワード対応テーブル２１に既に記憶されているものに限定されず、新たに生体計測ブース１００（または計測機器４）から受信（取得）したものであってもよい。
【００３４】
表示制御部１４は、キーワード検出部１３が検出したキーワードの表示態様を、生体情報評価部１６から取得した、ユーザの生体情報の測定値の評価結果に応じて変更する。表示制御部１４は、キーワードの表示態様を変更したコンテンツデータを表示部１７に出力して該コンテンツを表示させる。なお、生体情報評価部１６から表示制御部１４へ、キーワード検出部１３が検出したキーワードに対応する生体情報の測定値を出力してもよい。これにより、表示制御部１４は、キーワードの表示を、該キーワードに対応する生体情報の測定値を埋め込んで表示することができる。なお、表示制御部１４が、キーワードの表示態様をユーザの健康状態に応じて変更したときの具体例については、後に説明する。
【００３５】
なお、キーワード検出部１３が検出した、同一の生体情報に規定されているキーワードが、一定区間（例えば、１文の中や１段落の中）で複数回登場する場合、すべてのキーワードの表示態様をユーザの生体情報の測定値に対する評価結果に応じた表示態様に変更すると、同じ生体情報に対応する表示を一定区間内で何度も繰り返すことになり、コンテンツの可読性を低下させてしまう虞がある。そこで、キーワード検出部１３が、コンテンツにおける一定区間において、生体情報−キーワード対応テーブル２１の同一の生体情報に規定されているキーワードを複数検出した場合、表示制御部１４は、該一定区間において検出された、同一の生体情報に規定されている複数のキーワードのうち、一部のキーワードの表示態様を変更するように構成してもよい。例えば、１段落内に同一の生体情報に規定されているキーワードが複数検出されても、検出された全てのキーワードの表態様示を変更せずに、その一部のキーワード（例えば、その一定区間内で最初に検出されたキーワード）の表示態様のみを変更してもよい。あるいは、同一の生体情報に規定されているキーワードを複数検出した場合、すべてのキーワードの表示態様を変更せずに、例えば５個置きに変更する構成であってもよい。
【００３６】
また、表示制御部１４によって表示態様が変更されたキーワードを表示する領域（例えば、図５の（ｂ）の領域５２ａ（操作部）など参照）に対するタッチ操作やタップ操作など、コンテンツ内のキーワードを指定するユーザによる操作を受け付けたときに、当該キーワードに関連する生体情報の測定値を表示するように構成してもよい。これにより、生体情報の測定値に関連する内容を含むコンテンツを読んでいるユーザに対して、自分の生体情報の測定値を確認する機会を提供することができる。よって、ユーザの健康状態と関連する関連情報のコンテンツを効果的に提供することができる。
【００３７】
なお、生体計測ブース１００が通信ネットワーク７を介して、情報源３０ａ、３０ｂから健康関連情報などの関連情報を取得し、関連情報取得部１１は、生体計測ブース１００から関連情報を受信する構成であってもよい。
【００３８】
また、ユーザの家族の生体情報を一括して記憶して管理する生体情報サーバ（図示せず）をさらに備え、生体情報−キーワード対応テーブル２１および生体情報評価基準２２が該生体情報サーバに記憶されている構成であってもよい。ただし、生体情報サーバは、通信ネットワーク７を介して、または携帯端末１および生体計測ブース１００の無線／有線通信機能によってデータの送受信が可能であるが、承認されたユーザに限りアクセスが許可されることが望ましい。
【００３９】
（生体情報−キーワード対応テーブル２１について）
次に、図３を用いて、生体情報−キーワード対応テーブル２１について説明する。図３は、キーワードと生体情報との対応関係を規定する生体情報−キーワード対応テーブル２１のデータ構造の一例を示す図である。
【００４０】
生体情報−キーワード対応テーブル２１は、血圧、脈波、体脂肪、体温など、計測機器４などによって測定された測定項目の生体情報毎に、ユーザの生体情報の測定値（状態情報）と関連付けられたキーワード（関連文字列）とが格納されている。生体情報の測定値は、最近測定した測定値であってもよいし、過去所定の回数（例えば、５回）測定した測定値の平均値であってもよいし、所定の期間（最近１週間以内）の間に測定した測定値の平均値であってもよい。あるいは、生体情報の測定値として、測定したすべての測定値をすべて格納していてもよい。
【００４１】
図３に示す例では、ユーザの血圧の測定結果に関連するキーワードとして、生体情報の名称である「血圧」の他に、測定値に対する評価に関連する文字列である「高血圧」などが設定されている。これらの文字列以外にも、血圧との相関が指摘されている病気の名称である「動脈硬化症」や「心筋梗塞」などの文字列が設定されてもよい。なお、ここでは、ユーザの血圧の最高血圧値が１４０ｍｍＨｇであり、最低血圧値が８５ｍｍＨｇである場合を例に挙げて説明したが、例えば、血圧値が正常範囲よりも低いユーザの場合には、「血圧」の他に、「低血圧」などの文字列がキーワードとして設定されてもよい。
【００４２】
近年では、指先の脈波を計測することにより、測定時のリラックス度／ストレス度を算出することができる計測機器４が知られている。そこで、脈波の測定結果を用いて数値化されるリラックス度／ストレス度を生体情報の測定値として用いてもよい。この場合、リラックス度／ストレス度に関連するキーワードとして、生体情報の名称である「リラックス度」および「ストレス度」が設定されていてもよいし、あるいは、リラックス度を向上させ、ストレス度を低下させる効果が指摘されている、「温泉」、「瞑想」、「ハイキング」、「ペット」などの文字列がキーワードとして設定されていてもよい。
【００４３】
身長および体重の測定値を用いて算出可能な肥満度やＢＭＩなどの値を生体情報の測定値として用いることも可能である。この場合、算出された肥満度、ＢＭＩなどに関連するキーワードとして、「肥満度」、「ＢＭＩ」、「太り気味」、「内臓脂肪」などが設定されていてもよい。また、体温の測定値に関連するキーワードとしては、「発熱」、「風邪」、「風邪薬」、「解熱剤」などのキーワードが設定されていてもよい。
【００４４】
なお、生体情報の測定値毎のキーワードは、１つであってもよいし、複数であってもよい。また、ユーザの生体情報の測定値に関連付けられた所定のキーワードが、生体情報の測定値毎に生体情報−キーワード対応テーブル２１に予め設定されていてもよいし、ユーザが所望のキーワードを生体情報−キーワード対応テーブル２１に追加登録したり、削除したりして、編集できるようにしてもよい。
【００４５】
また、キーワード検出部１３が検出するキーワードと生体情報との対応関係を規定するものであれば、生体情報−キーワード対応テーブル２１のデータ構造はテーブル形式に限定されない。また、キーワードと生体情報との対応関係を規定するキーワードテーブル（図示せず）と、および生体情報と測定値との対応関係を規定する測定値テーブル（図示せず）とを別のテーブルとして記憶部２０に格納する構成であってもよい。
【００４６】
（生体情報の測定値に対する評価に応じた表示態様の変更について）
続いて、生体情報の測定値に対する評価に応じた表示態様の変更例について、図４を用いて説明する。図４は、「血圧」というキーワードの表示態様を、生体情報の測定値に応じて変更する例について説明する説明図である。なお、血圧以外の生体情報の測定値（例えば、リラックス度、ストレス度、体脂肪、体温、など）についても同様であり、ここではその説明を省略する。
【００４７】
世界保健機構（ＷＨＯ）は、最高血圧値が１３０ｍｍＨｇ未満（１２０ｍｍＨｇ以上）、最低血圧値が８５ｍｍＨｇ未満（８０ｍｍＨｇ以上）の範囲を正常範囲であると定めている。図示では、このＷＨＯが定めた基準を適用して、最高血圧値が１３０ｍｍＨｇ未満であれば正常範囲、１３０ｍｍＨｇ以上１４５ｍｍＨｇ未満であれば警戒範囲、１４５ｍｍＨｇを超える場合は異常範囲とする例を挙げている。これらの基準となる値は、生体情報評価基準２２に記憶されており、生体情報評価部１６が生体情報評価基準２２を参照して、ユーザの生体情報の測定値が正常範囲なのか、警戒範囲なのか、あるいは異常範囲なのかを判定する。
【００４８】
表示例Ａでは、ユーザの生体情報の測定値が正常範囲であれば「血圧」の表示態様は変更しない。一方、ユーザの生体情報の測定値が警戒範囲であれば「血圧」をオレンジ色で表示し、異常範囲であれば赤字で表示する。また、警戒範囲および異常範囲と判定された場合、血圧の測定値を「血圧」を表示する位置に隣接する位置（直後の右肩など）に埋め込んでいる。埋め込んだ血圧の測定値は、警戒範囲と判定された測定値（例えば、最高血圧値１４０ｍｍＨｇ）はオレンジ色で示され、異常範囲の測定値（例えば、最高血圧値１５０ｍｍＨｇ）は赤色で示されている。
【００４９】
このように、ユーザの血圧の測定値が正常範囲か、正常範囲から所定の範囲以上外れている異常範囲か、あるいは正常範囲からは外れているものの所定の範囲以上外れてはいない警戒範囲かに応じて、「血圧」という文字列の表示態様を変更する。
【００５０】
表示例Ｂでは、ユーザの生体情報の測定値が正常範囲であれば「血圧」の後ろの右肩に、血圧の測定値が正常範囲であることを示す表情の顔マーク（絵文字など）を埋め込んでいる。一方、ユーザの生体情報の測定値が異常範囲であれば「血圧」の後ろの右肩に、血圧の測定値が異常範囲であることを示す表情の顔マークを埋め込んでおり、警戒範囲であれば「血圧」の後ろの右肩に、血圧の測定値が警戒範囲であることを示す表情の顔マークを埋め込んでいる。
【００５１】
なお、ここに示した表示例Ａ、Ｂは単なる一例にすぎず、「血圧」の文字の色や、血圧の測定値の文字の色および表示位置などは、さまざまな表現方法を適用して変更することができる。また、ここでは、血圧の測定値を、正常範囲、警戒範囲、および異常範囲の３段階に判定する例を挙げて説明したが、何段階で判定を行ってもよい。
【００５２】
（コンテンツの画面表示例について）
次に、携帯端末１によるコンテンツの表示例について、図５および図６を用いて説明する。図５の（ａ）〜（ｄ）は、携帯端末１の画面遷移の一例を示す説明図であり、図５の（ｅ）は図５の（ｂ）とは別の表示例を適用した場合の画面表示例を示す図である。また、図６の（ａ）〜（ｄ）は携帯端末１の、他の画面遷移の一例を示す説明図である。
【００５３】
携帯端末１は、ユーザの選択行為や、ユーザの過去の検索履歴に基づいて、ユーザの関心が高い分野に関連する関連情報を選択的に取得し、取得した関連情報をユーザに対して紹介する機能を有していてもよく、この場合、図５の（ａ）に示す画面のように、関連情報の一覧を表示する画面を表示する。なお、各種機能が割当てられた領域である領域５７および領域５８については、その説明を省略する。
【００５４】
図５の（ａ）の画面の領域５１ａに対するタップ操作を受け付けると、画面が図５の（ａ）の画面から、領域５１ａに表示されていたコンテンツを表示する、図５の（ｂ）のような画面へと遷移する。図５の（ｂ）では、図４の表示例Ａを適用した場合の画面を示している。すなわち、コンテンツから検出されたキーワード「血圧」が、領域５２ａおよび領域５２ｂのように、血圧の測定値（１４０／８５）が「血圧」という文字列の右肩に埋め込まれている。そして、最高血圧値１４０ｍｍＨｇという測定値が警戒範囲であることを示すオレンジ色で表示されており、さらに、コンテンツ内の「血圧」の表示態様が元の黒色からオレンジ色に変更されている。なお、図５の（ｂ）のように表示する代わりに、図５の（ｅ）に示すような表示をしてもよい。すなわち、図５の（ｅ）では、領域５２ｃおよび領域５２ｄのように、血圧の測定値を埋め込む代わりに、「血圧」の後ろの右肩に、血圧の測定値が警戒範囲であることを示す表情の顔マークを埋め込んでいる。
【００５５】
図５の（ｂ）のように表示するか、それとも図５の（ｄ）のように表示するか、はユーザによって切り替え可能であってもよい。この場合、図４に示す表示例Ａ、Ｂのようなサンプルをユーザに提示して、ユーザに選択させるようにすればよい。例えば、図５の（ｂ）の画面をユーザが長押ししたことを検知して、表示例Ａと表示例Ｂと非表示（血圧の測定値に応じた表示態様の変更の解除）とを切り替える構成であってもよい。
【００５６】
なお、図５の（ｂ）の画面の領域５９ａは、現在表示しているコンテンツ内で、次に検出されたキーワードを含む箇所を表示する画面を表示させたり、以前のキーワードを含む箇所を表示する画面を表示させたりするためのものである。ユーザは、領域５９ａに対してタッチ操作をすることにより、自分の健康状態に関連する内容が記載されたコンテンツ内の箇所のみを、順に表示させることができる。これにより、コンテンツを閲覧するユーザが該コンテンツを閲覧するために要する時間を短縮させたり、斜め読みができるようにしたりすることができる。
【００５７】
ところで、領域５２ａ〜５２ｄ（操作部）に対するタップ操作を受け付けた場合に、図５の（ｃ）の画面のように血圧の測定値を表示する領域５３ａを含む画面を表示するようにしてもよい。また、図５の（ｃ）の画面が、血圧に関連する関連情報のコンテンツのタイトルなどをユーザに紹介する領域５４ａを有しており、各コンテンツのタイトルに該当するコンテンツの配信先へのリンクを配していてもよい。これにより、自分の血圧の測定値を確認したユーザに対して、血圧に関連する内容を含むコンテンツを効果的に紹介することができる。
【００５８】
さらに、ユーザによる領域５３ａに対するタップ操作を受け付けた場合、図５の（ｄ）の画面のように血圧の測定値に関する詳細情報（例えば、過去の測定値のグラフ）を表示する領域５６を含む画面に遷移してもよい。
【００５９】
続いて、図６に示す画面遷移について説明する。図６の（ａ）の画面の領域５１ｂに対するタップ操作を受け付けると、画面が図６の（ａ）の画面から、領域５１ｂに表示されていたコンテンツを表示する、図６の（ｂ）のような画面へと遷移する。図６の（ｂ）も、図５の（ｂ）と同様に、コンテンツから検出されたキーワード「リラックス」を表示する領域５２ｅや「ストレス」を表示する領域５２ｆでは、「リラックス」および「ストレス」という文字列の右肩に、対応するリラックス度（ここでは、６７）およびストレス度（ここでは、４５）の測定値がそれぞれ埋め込まれている。
【００６０】
そして、領域５２ｅおよび５２ｆ（操作部）に対するタップ操作を受け付けた場合には、図６の（ｃ）の画面のようにリラックス度およびストレス度の測定値を表示する領域５３ｂを含む画面を表示するようにしてもよい。また、図６の（ｃ）の画面が、リラックス度およびストレス度に関連する関連情報のコンテンツのタイトルなどをユーザに紹介する領域５４ｂを有していてもよい。
【００６１】
なお、領域５９ｂは、キーワードの表示態様を切り替える操作を受け付けるものであり、例えば、図６の（ｂ）の画面において、ユーザが領域５９ｂに対してタッチ操作をおこなうことにより、配信された状態のコンテンツを表示することができる。すなわち、領域５９ｂは、生体情報の測定値に応じた表示態様の変更を有効にするか、無効にする（解除する）か、を切り替えるために利用される。
【００６２】
さらに、ユーザによる領域５３ｂに対するタップ操作を受け付けた場合、図６の（ｄ）の画面のようにリラックス度およびストレス度の測定値の過去の測定値をグラフ（または、表）に図示して表示する領域５６を含む画面に遷移してもよい。
【００６３】
なお、図５の（ｃ）および図６の（ｃ）に示すように、コンテンツを表示する画面から生体情報の測定値を表示する画面を表示した場合、その画面内に、該生体情報の測定値を表示する画面を閉じて、画面遷移前のコンテンツを表示する画面（図５の（ｂ）、（ｅ）、および図６の（ｂ））に戻るための「閉じる」ボタン５５などを設けていてもよい。
【００６４】
このようにキーワードの表示態様を変更することにより、ユーザ自身の健康状態をユーザに正確に認識させながら、提供したコンテンツを閲覧させることができる。例えば、上記状態情報を示す文字列または画像を、関連文字列に隣接する位置に表示させた場合、ユーザは閲覧しているコンテンツから視線を離すことなく、自分の健康状態を認識することができる。
【００６５】
（コンテンツに含まれるキーワードの表示態様を変更する処理の流れ）
次に、ユーザの健康状態に応じて、コンテンツに含まれるキーワードの表示態様を変更する処理の流れを、図７を用いて説明する。図７は、コンテンツに含まれるキーワードの表示態様を、ユーザの健康状態に応じて変更する処理の流れを示すフローチャートである。なお、図７では、生体情報管理部１５によって、ユーザの生体情報の測定値が生体計測ブース１００から取得されており（取得ステップ）、生体情報−キーワード対応テーブル２１に最新の測定値が格納されているものとする。また、ここに示す処理では、キーワード検出部１３がコンテンツデータを最初から検索して、キーワードを検出する毎に、該検出したキーワードの表示態様を決定している。
【００６６】
関連情報取得部１１は、１または複数の情報源３０ａ、３０ｂから健康関連のコンテンツを一定量（例えば、コンテンツ５ページ分）読み込む（取得する）と（Ｓ１０１）、読み込んだコンテンツのコンテンツデータをコンテンツ解析部１２に送る。
【００６７】
次に、コンテンツ解析部１２は、関連情報取得部１１から取得したコンテンツデータを解析する（Ｓ１０２）。具体的には、コンテンツ解析部１２は、コンテンツデータに含まれる本文や見出しのテキストデータ、段落構造、リンク情報などを特定し、コンテンツデータと解析結果とをキーワード検出部１３に送る。
【００６８】
次に、キーワード検出部１３は、コンテンツ解析部１２から受信したコンテンツデータのテキストデータに含まれる、ユーザの健康状態を示す生体情報の測定項目毎に関連付けられたキーワードを検出する（Ｓ１０３：検出ステップ）。Ｓ１０１で読み込んだコンテンツデータ内のテキストデータから当該キーワードが検出されない場合（Ｓ１０３にてＮＯ）、コンテンツデータはキーワード検出部１３から表示制御部１４に送られ、表示部１７において表示される（Ｓ１１０）。
【００６９】
Ｓ１０１で読み込んだコンテンツ内のテキストデータから、キーワード検出部１３が、当該キーワードを検出した場合（Ｓ１０３にてＹＥＳ）であり、かつ、コンテンツの一定区間内において同じキーワードが検出されていない場合（Ｓ１０４にてＹＥＳ）、キーワード検出部１３は、検出したキーワードに関連する生体情報の測定結果が記憶部２０に記憶されているか、を生体情報評価部１６に問い合わせる（Ｓ１０５）。
【００７０】
キーワード検出部１３が検出したキーワードに関連する生体情報の測定結果が記憶部２０に記憶されている場合、生体情報評価部１６は、キーワード検出部１３が検出したキーワードに対応する生体情報の測定値を生体情報−キーワード対応テーブル２１から読み出して、該読み出した測定値が、生体情報評価基準２２に規定されている、正常範囲を規定する基準となる範囲と比較して、正常範囲内か否かを判定する（Ｓ１０６：判定ステップ）。生体情報評価部１６が読み出した測定値が正常範囲であれば（Ｓ１０６にてＹＥＳ）、この判定結果を受信した表示制御部１４は、該キーワードの表示態様を変更せずに、該コンテンツを表示部１７において表示させる（Ｓ１１０）。なお、図７に示す例では、ユーザの生体情報の測定値が正常範囲であれば、検出されたキーワードの表示態様を変更しないが、例えば、図６の表示例Ｂに示すように、ユーザの生体情報の測定値が正常範囲である場合にも、検出されたキーワードの表示態様を適宜変更する構成であってもよい。
【００７１】
一方、生体情報評価部１６が読み出した測定値が正常範囲ではない場合（Ｓ１０６にてＮＯ）、続いて、生体情報評価部１６は、生体情報評価基準２２を参照して、読み出した生体情報の測定値が、正常範囲を規定する基準となる正常範囲から所定の範囲以上外れているか否かを判定する（Ｓ１０７：判定ステップ）。
【００７２】
正常範囲から所定の範囲以上外れている場合には（Ｓ１０７にてＹＥＳ）、生体情報評価部１６は、該生体情報の測定値を異常範囲として判定し、この判定結果および当該生体情報の測定値を受信した表示制御部１４は、該キーワードの表示態様を赤色に変更し、生体情報の測定値をキーワードの表示位置に隣接する位置（例えば、直後の右肩部分）に埋め込む埋め込み処理を行い（Ｓ１０９：表示制御ステップ）、該コンテンツを表示部１７において表示させる（Ｓ１１０）。他方、正常範囲から所定の範囲以上外れていない場合には（Ｓ１０７にてＮＯ）、生体情報評価部１６は、該生体情報の測定値を警戒範囲として判定し、この判定結果および当該生体情報の測定値を受信した表示制御部１４は、該キーワードの表示態様をオレンジ色に変更し、生体情報の測定値をキーワードの表示位置に隣接する位置（直後の右肩部分など）に埋め込む埋め込み処理を行い（Ｓ１０８：表示制御ステップ）、該コンテンツを表示部１７において表示させる（Ｓ１１０）。
【００７３】
そして、表示したコンテンツが該コンテンツの終端であれば（Ｓ１１１にてＹＥＳ）、図７に示す処理を終了する。一方、読み込んだ一定量のコンテンツが該コンテンツの終端でなければ（Ｓ１１１にてＮＯ）、Ｓ１０１に戻り、該コンテンツの続きの一定量を読み込んで、Ｓ１０２以降の処理を続ける。
【００７４】
このように、携帯端末１は、表示するコンテンツの中のテキストデータから、ユーザの生体情報の測定値と関連付けられたキーワードを検出して、検出したキーワードと関連付けられた、ユーザの生体情報の測定値が示すユーザの健康状態に応じて、コンテンツを表示する場合のキーワードの表示態様を変更する。これにより、コンテンツを閲覧するユーザに対して、ユーザ自身の健康状態に関連する箇所を明示して、該コンテンツの内容を効果的に活用させることができる。
【００７５】
〔実施形態２〕
本実施形態に係る携帯端末１は、過去のユーザの生体情報の測定値（過去状態情報）を参照して、現在までのユーザの生体情報の測定値の推移が、現在改善傾向を示しているか、悪化傾向を示しているかに応じて、キーワードの表示態様を変更してもよい。
【００７６】
本実施形態について、図８に基づいて説明すれば、以下のとおりである。なお、説明の便宜上、前記実施形態にて説明した部材と同じ機能を有する部材については、同じ符号を付記し、その説明を省略する。図８は、血圧の測定値が改善傾向か、悪化傾向かに応じて表示態様を変更する例について説明する説明図である。
【００７７】
本実施形態では、生体情報−キーワード対応テーブル２１には、ユーザの生体情報の測定値（状態情報）および過去の生体情報の測定値（過去状態情報）が記憶されており、生体情報評価部１６は、キーワード検出部１３からの問い合わせに応じて、キーワード検出部１３が検出したキーワードに対応する生体情報の測定値と過去の生体情報の測定値とを生体情報−キーワード対応テーブル２１から読み出して比較し、ユーザの健康状態が改善傾向（警戒範囲→正常範囲、および異常範囲→警戒範囲）にあるのか、または、悪化傾向（正常範囲→警戒範囲、および警戒範囲→異常範囲）にあるのかを評価（判定）し、該評価結果（判定結果）を表示制御部１４に出力する。
【００７８】
図８の表示例Ｃでは、ユーザの生体情報の測定値が正常範囲ではなく、警戒範囲や異常範囲であっても、血圧の最近の測定値が改善傾向であれば、「血圧」の表示態様は変更しない。一方、ユーザの生体情報の測定値が正常範囲であっても、悪化傾向であれば、その悪化の度合い（変化速度など）に応じて、「血圧」の表示態様をオレンジ色で表示したり、赤字で表示したりする。なお、血圧の測定値を「血圧」の表示位置に隣接する位置（例えば、直後の右肩など）に常に埋め込んでもよい。埋め込んだ血圧の測定値は、警戒範囲と判定される測定値（例えば、最高血圧値１４０ｍｍＨｇ）はオレンジ色で示され、異常範囲の測定値（例えば、最高血圧値１５０ｍｍＨｇ）は赤色で示される。
【００７９】
表示例Ｄでは、ユーザの生体情報の測定値の推移が改善傾向であれば「血圧」に隣接する位置（ここでは、直後の右肩）に、血圧の測定値の推移が改善傾向（良好）であることを示す笑顔マークを埋め込んでいる。一方、ユーザの生体情報の測定値が悪化傾向であれば「血圧」の直後の右肩に、血圧の測定値の推移が悪化傾向（要注意）であることを示す表情の顔マークを埋め込んでいる。
【００８０】
このように、検出したキーワードの表示態様を変更することにより、コンテンツを読むユーザに対して、自分の生体情報の測定値の推移が改善傾向であるのか、悪化傾向であるのかを認識させることができる。
【００８１】
〔ソフトウェアによる実現例〕
携帯端末１の制御ブロック（特に関連情報取得部１１、コンテンツ解析部１２、キーワード検出部１３、表示制御部１４、生体情報管理部１５、および生体情報評価部１６）は、集積回路（ＩＣチップ）等に形成された論理回路（ハードウェア）によって実現してもよいし、ＣＰＵ（Central Processing Unit）を用いてソフトウェアによって実現してもよい。
【００８２】
後者の場合、携帯端末１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００８３】
〔まとめ〕
本発明の態様１に係る情報処理装置（携帯端末１）は、コンテンツを表示部１７に表示する情報処理装置であって、ユーザの健康状態を示す状態情報を取得する取得部（生体情報管理部１５）と、上記コンテンツのテキストデータに含まれる、上記状態情報に関連付けられた関連文字列を検出する検出部（キーワード検出部１３）と、上記検出部が検出した上記関連文字列の表示態様を、上記状態情報に応じて変更する表示制御部１４と、を備えている。
【００８４】
上記の構成によれば、コンテンツに含まれる、ユーザの健康状態を示す状態情報に関連付けられた関連文字列を検出して、検出した上記関連文字列と関連付けられた上記状態情報が示す上記ユーザの健康状態に応じて、上記コンテンツの上記関連文字列の表示態様を変更する。これにより、コンテンツを閲覧するユーザに対して、ユーザ自身の健康状態に関連する箇所を明示して、該コンテンツの内容を容易に活用させることができる。よって、ユーザの健康状態に関連するコンテンツを効果的に提供することができる。
【００８５】
本発明の態様２に係る情報処理装置は、上記態様１において、上記表示制御部は、上記検出部が検出した上記関連文字列の表示位置に隣接する位置に、上記状態情報を示す文字列または画像を表示させてもよい。
【００８６】
上記の構成によれば、上記検出部が検出した上記関連文字列の表示位置に隣接する位置に、上記状態情報を示す文字列または画像を表示する。これにより、コンテンツを読むユーザに対して、自分の状態情報を参照させることができる。よって、ユーザは閲覧しているコンテンツから視線を離すことなく、自分の健康状態を正確に認識しながら、提供されたコンテンツを閲覧することができる。
【００８７】
本発明の態様３に係る情報処理装置は、上記態様１または２において、上記状態情報が示す上記ユーザの健康状態が正常か否かを判定する判定部（生体情報評価部１６）をさらに備え、上記表示制御部は、上記判定部が上記ユーザの健康状態は正常でないと判定した場合と、上記判定部が上記ユーザの健康状態は正常であると判定した場合とで、上記検出部が検出した上記関連文字列の表示態様を異ならせてもよい。
【００８８】
上記の構成によれば、上記ユーザの健康状態が正常か否かを判定し、上記ユーザの健康状態は正常でないと判定した場合と、上記ユーザの健康状態は正常であると判定した場合とで、上記コンテンツを表示する場合の上記関連文字列の表示態様を異ならせる。これにより、コンテンツを読むユーザは、自分の状態情報が正常範囲なのか否かを正しく認識しながら、提供されたコンテンツを読むことができる。
【００８９】
本発明の態様４に係る情報処理装置は、上記態様１または２において、過去における上記ユーザの健康状態を示す過去状態情報を管理する管理部（生体情報管理部１５）と、上記状態情報および上記過去状態情報を比較して、上記ユーザの健康状態が現在改善傾向か悪化傾向かを判定する判定部（生体情報評価部１６）をさらに備え、上記表示制御部は、上記判定部が上記ユーザの健康状態は改善傾向であると判定した場合と、上記判定部が上記ユーザの健康状態は悪化傾向であると判定した場合とで、上記検出部が検出した上記関連文字列の表示態様を異ならせてもよい。
【００９０】
上記の構成によれば、上記ユーザの健康状態が改善傾向か悪化傾向かを判定し、上記ユーザの健康状態は改善傾向であると判定した場合と、上記ユーザの健康状態は悪化傾向であると判定した場合とで、上記コンテンツを表示する場合の上記関連文字列の表示態様を異ならせる。これにより、コンテンツを読むユーザは、自分の健康状態が、改善傾向であるのか、悪化傾向であるのかを認識しながら、提供されたコンテンツを閲覧することができる。
【００９１】
本発明の態様５に係る情報処理装置は、上記態様１から４のいずれかにおいて、上記検出部が、上記コンテンツにおける一定区間において上記関連文字列を複数検出した場合、上記表示制御部は、当該一定区間において検出された上記関連文字列のうち、一部の関連文字列の表示態様のみを変更してもよい。
【００９２】
検出部が検出した関連文字列が、コンテンツ内の一定区間において複数検出された関連文字列の表示態様をすべて変更すると、該コンテンツを閲覧するユーザに煩わしさを与え、関連文字列の表示態様を変更したことの効果が損なわれる虞がある。
【００９３】
上記の構成によれば、上記コンテンツにおける一定区間において上記関連文字列を複数検出した場合、当該一定区間において検出された上記関連文字列のうち、一部の関連文字列の表示態様のみを変更する。このように、検出された全ての関連文字列の表示態様を変更せずに、その一部の関連文字列の表示態様のみを変更することにより、関連文字列の表示態様を変更することの効果を損なわないようにすることができる。
【００９４】
本発明の態様６に係る情報処理装置は、上記態様１から５のいずれかにおいて、上記表示部における特定の位置を指定する操作を受け付ける操作部（領域５２ａ〜５２ｆ）を更に備え、上記操作が、上記表示制御部によって表示態様が変更された上記関連文字列を指定している場合、上記表示部に、当該関連文字列に関連付けられた上記状態情報に関連するコンテンツを表示するように構成してもよい。
【００９５】
これにより、コンテンツを読んでいるユーザに対して、ユーザ自身の状態情報を確認する機会を提供することができる。よって、ユーザの健康状態に関連するコンテンツを効果的に提供することができる。
【００９６】
本発明の態様７に係る情報処理装置（携帯端末１）の制御方法は、コンテンツを表示部１７に表示する情報処理装置の制御方法であって、ユーザの健康状態を示す状態情報を取得する取得ステップと、上記コンテンツのテキストデータに含まれる、上記状態情報に関連付けられた関連文字列を検出する検出ステップ（Ｓ１０３）と、上記検出ステップにおいて検出した上記関連文字列の表示態様を、上記状態情報に応じて変更する表示制御ステップ（Ｓ１０８、Ｓ１０９）と、を含んでいる。上記の構成によれば、上記態様１と同様の効果を奏する。
【００９７】
本発明の各態様に係る情報処理装置は、コンピュータによって実現してもよく、この場合には、コンピュータを上記情報処理装置が備える各部（ソフトウェア要素）として動作させることにより上記情報処理装置をコンピュータにて実現させる情報処理装置の制御プログラム、およびそれを記録したコンピュータ読み取り可能な記録媒体も、本発明の範疇に入る。
【００９８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００９９】
本発明は、健康関連情報をユーザに提供する電子機器に利用することができる。
【符号の説明】
【０１００】
１  携帯端末（情報処理装置）
１７  表示部
１３  キーワード検出部（検出部）
１４  表示制御部
１５  生体情報管理部（取得部、管理部）
１６  生体情報評価部（判定部）
５２ａ〜５２ｆ  領域（操作部）
Ｓ１０３  検出ステップ
Ｓ１０８、Ｓ１０９  表示制御ステップ
【図１】
2016184332.tif 000003
【図２】
2016184332.tif 000004
【図３】
2016184332.tif 000005
【図４】
2016184332.tif 000006
【図５】
2016184332.tif 000007
【図６】
2016184332.tif 000008
【図７】
2016184332.tif 000009
【図８】
2016184332.tif 000010